(57)【要約】【課題】軽量・コンパクトで汎用性に富む可変容量オイルポンプを低コストに提供する。【解決手段】回転軸２と一体回転するポンプボディ３と、ポンプボディ３の周方向に離間した複数箇所に設けられた軸方向シリンダ３ａと、各軸方向シリンダ３ａ内に往復動可能に配置されたピストン５と、回転軸２に対して傾転可能に配置され、回転軸２に対する傾転角に応じた軸方向変位を各ピストン５に付与する斜板６と、回転軸２に対する斜板６の傾転角を変化させる変角度機構Ａとを備えた可変容量オイルポンプ１において、変角度機構Ａは、回転軸２と一体回転可能な機械部品のアセンブリからなり、回転軸２の回転数が所定値を超えたときに軸方向一方側の所定位置まで連続して変位可能な軸方向変位部Ｂを備え、軸方向変位部Ｂが軸方向一方側に変位するのに伴って斜板６の傾転角が大きくなる。【選択図】図１
2018193974.tif 000002
【特許請求の範囲】
【請求項１】
回転駆動源に連結される回転軸と、前記回転軸と一体回転可能に前記回転軸の外周に嵌合されたポンプボディと、前記ポンプボディの周方向に離間した複数箇所に設けられた軸方向シリンダと、各軸方向シリンダ内に往復動可能に配置されたピストンと、前記回転軸に対して傾転可能に配置され前記回転軸に対する傾転角に応じた軸方向変位を前記各ピストンに付与する斜板と、前記回転軸に対する前記斜板の傾転角を変化させる変角度機構とを備えた可変容量オイルポンプにおいて、
前記変角度機構は、前記回転軸と一体回転可能な機械部品のアセンブリからなり、前記回転軸の回転数が所定値を超えたときに軸方向一方側の所定位置まで連続して変位可能な軸方向変位部を備え、前記軸方向変位部が軸方向一方側に変位するのに伴って前記斜板の傾転角が大きくなることを特徴とする可変容量オイルポンプ。
【請求項２】
前記軸方向変位部は、前記回転軸の回転に伴って作用する遠心力により径方向外側に変位可能な遠心ウェイトを有し、
前記変角度機構は、前記遠心ウェイトが径方向外側に変位するのに伴って前記遠心ウェイトを軸方向一方側に案内移動させる案内部材を備える請求項１に記載の可変容量オイルポンプ。
【請求項３】
前記軸方向変位部は、周方向の複数箇所に配置された前記遠心ウェイトを周方向所定間隔で保持する保持器をさらに有する請求項２に記載の可変容量オイルポンプ。
【請求項４】
前記変角度機構は、前記斜板よりも軸方向一方側に配置され、前記斜板の周方向の一部を軸方向他方側に付勢する付勢手段をさらに備える請求項１〜３の何れか一項に記載の可変容量オイルポンプ。
【請求項５】
前記回転駆動源がエンジンである請求項１〜４の何れか一項に記載の可変容量オイルポンプ。
【請求項６】
前記回転駆動源が電動モータを含む請求項１〜４の何れか一項に記載の可変容量オイルポンプ。
【請求項７】
ＣＶＴを構成するプーリの溝幅調整に用いられる請求項１〜６の何れか一項に記載の可変容量オイルポンプ。
【発明の詳細な説明】
【技術分野】
【０００１】
本発明は、可変容量オイルポンプに関し、特に、回転軸に対する斜板の傾転角に応じてオイルの吸入量および吐出量（ポンプ流量）が増減する、いわゆる斜板式の可変容量オイルポンプに関する。
【背景技術】
【０００２】
例えば、自動車の無断変速機（ＣＶＴ）に組み込まれるオイルポンプとしては、エンジンの回転を利用してロータが回転駆動されることにより、オイルを吸入および吐出するベーンポンプ又はトロコイドポンプが広く採用されている。しかしながら、これらのポンプでは、エンジンの回転数が上昇するのに伴ってポンプ流量が増加するため、特にエンジンの中速回転域以上の回転域においてはオイル吐出量が過剰となる。過剰分のポンプ動力はエンジン動力のロスになるため、自動車の燃費低下の一因となる可能性があった。高回転域でのポンプ動力のロスを削減するには、エンジンの中速回転域以上の回転域でオイル吐出量を一定に保つことができる可変容量オイルポンプを採用するのが望ましい。
【０００３】
例えば、下記の特許文献１には、回転軸に対する斜板の傾転角に応じてオイルの吐出量を調整（制御）可能な、いわゆる斜板式の可変容量オイルポンプが記載されている。特許文献１のオイルポンプにおける斜板の傾転角は、斜板に連結された制御ピストンを有する制御シリンダと、制御ピストンの変位量を検出するリニア変位センサとを含み、リニア変位センサによって検出される変位量をフィードバックして制御シリンダへの圧油供給を制御する制御器（制御部）によって制御される。
【先行技術文献】
【特許文献】
【０００４】
【特許文献１】特開２００９−１９７７０９号公報
【発明の概要】
【発明が解決しようとする課題】
【０００５】
特許文献１のオイルポンプにおいては、制御部を構成する制御シリンダが大型の油圧シリンダで構成され、かつ、この制御シリンダは、駆動源に連結される回転軸と共回りするシリンダバレル（ポンプ本体）、斜板およびバルブプレートなどを備えたポンプ本体部と平行に配置された上でポンプ本体部のケーシングに対してボルト止めされている。この場合、オイルポンプが全体として大型化するため、オイルポンプを含めた装置全体のコンパクト化が求められる用途には使用できず、使用対象が限定的になるという問題がある。
【０００６】
また、特許文献１のオイルポンプにおいては、制御ピストンの変位量（斜板の傾転角）を制御するために複雑な油圧回路等が必要であるため、ポンプの高コスト化を招来するという問題もある。
【０００７】
上記の実情に鑑み、本発明の主な目的は、コンパクトで汎用性に富む可変容量オイルポンプを低コストに提供することにある。
【課題を解決するための手段】
【０００８】
上記の目的を達成するために創案された本発明は、回転駆動源に連結される回転軸と、回転軸と一体回転可能に回転軸の外周に嵌合されたポンプボディと、ポンプボディの周方向に離間した複数箇所に設けられた軸方向シリンダと、各軸方向シリンダ内に往復動可能に配置されたピストンと、回転軸に対して傾転可能に配置され、回転軸に対する傾転角に応じた軸方向変位を各ピストンに付与する斜板と、回転軸に対する斜板の傾転角を変化させる変角度機構とを備えた可変容量オイルポンプにおいて、変角度機構は、回転軸と一体回転可能な機械部品のアセンブリからなり、回転軸の回転数が所定値を超えたときに軸方向一方側の所定位置まで連続して変位可能な軸方向変位部を備え、軸方向変位部が軸方向一方側に変位するのに伴って斜板の傾転角が大きくなることを特徴とする。
【０００９】
このような構成によれば、回転軸の回転駆動時におけるピストンの軸方向変位量、すなわちポンプのオイル吸入量およびオイル吐出量（ポンプ流量）を左右する斜板の傾転角が、回転軸と一体回転可能な機械部品のアセンブリからなる軸方向変位部によって変化するため、斜板の傾転角を制御（調整）するための油圧回路や電気回路などの制御回路を省略することができる。これにより、特許文献１のオイルポンプの制御器と同様の機能を有しながら、簡素かつコンパクトな変角度機構を実現することが可能となるので、オイルポンプの軽量・コンパクト化および低コスト化を実現することができる。
【００１０】
上記の機能を発揮し得る軸方向変位部は、回転軸の回転に伴って作用する遠心力により径方向外側に変位可能な遠心ウェイトを有するもので構成することができる。このとき、変角度機構に、ポンプボディの外周に嵌合され、遠心ウェイトが径方向外側に変位するのに伴って遠心ウェイトを軸方向一方側に案内移動させる案内部材を設けておけば、案内部材（の案内面）で遠心ウェイト、ひいては軸方向変位部を適切に軸方向一方側に変位させることができる。
【００１１】
軸方向変位部は、周方向の複数箇所に配置された遠心ウェイトを周方向所定間隔で保持する保持器をさらに有するものとすることができる。このような保持器を設けておけば、遠心ウェイトの軸方向一方側への変位量を保持器を介して斜板に伝達することが可能となるので、斜板に対する上記変位量の伝達性が向上する。
【００１２】
変角度機構は、斜板よりも軸方向一方側に配置され、斜板の周方向の一部を軸方向他方側に付勢する付勢手段をさらに備えたものとすることができる。
【００１３】
回転軸が連結される回転駆動源は、エンジン（自動車のエンジン）、あるいは電動モータを含むものとすることができる。なお、「電動モータを含む」とは、電動モータのみで構成される場合や、電動モータおよびその出力側に連結された減速機で構成される場合を含む概念である。
【００１４】
本発明に係る可変容量オイルポンプは、例えば、ＣＶＴ（無段変速機）を構成するプーリの溝幅調整用（プーリ押圧用）のオイルポンプとして用いることができる他、パワーステアリングのパワーアシスト用オイルポンプとして用いることができる。
【発明の効果】
【００１５】
以上より、本発明によれば、軽量・コンパクトで汎用性に富む可変容量オイルポンプを低コストに提供することが可能となる。
【図面の簡単な説明】
【００１６】
【図１】本発明の一実施形態に係る可変容量オイルポンプの縦断面図であり、図２のＸ−Ｘ線矢視断面図である。
【図２】図１に示す可変容量オイルポンプの左側面図である。
【図３】可変容量オイルポンプの内部部品の分解斜視図である。
【図４】（ａ）図は、遠心ウェイトを保持する保持器の平面図、（ｂ）図は、（ａ）図のＹ−Ｙ線矢視断面図である。
【図５】回転軸の回転数が所定値を超えている状態における可変容量オイルポンプの縦断面図である。
【図６】本発明の他の実施形態に係る可変容量オイルポンプの縦断面図である。
【発明を実施するための形態】
【００１７】
以下、本発明の実施の形態を図面に基づいて説明する。なお、以下の説明でいう「軸方向一方側」および「軸方向他方側」とは、それぞれ、図１の紙面右側および紙面左側である。
【００１８】
図１に、本発明の一実施形態に係る可変容量オイルポンプ１の縦断面図を示す。このオイルポンプ１は、いわゆるアキシャルピストン型の斜板式オイルポンプであって、回転軸２、ポンプボディ３、バルブプレート４、斜板６および変角度機構Ａなどを備え、これらはポンプ１の静止側を構成する筐体３０の内部に収容されている。
【００１９】
筐体３０は、筒状のケーシング３２と、ケーシング３２の軸方向他方側の端部（他端）開口を閉塞するカバー３１とを備え、カバー３１とケーシング３２とは図示しないボルト等の締結部材を用いて結合一体化されている。ケーシング３２は、後述する付勢手段２０および制振手段２３をそれぞれ収容した筒状の付勢手段収容部３２ａおよび制振手段収容部３２ｂを有し、制振手段収容部３２ｂは、付勢手段収容部３２ａとは周方向の位相を１８０°異ならせた位置に設けられている。
【００２０】
回転軸２は、最大回転数が１００００ｒｐｍ程度の図示しない回転駆動源（ここでは、自動車のエンジン）とトルク伝達可能に連結され、軸方向に離間した二箇所に配置された軸受１３，１４によって筐体３０に対して回転自在に支持される。軸受１３，１４は、何れも転がり軸受であり、本実施形態では軸受１３として針状ころ軸受を、また、軸受１４として玉軸受（深溝玉軸受）を使用している。軸受１３の外輪はカバー３１に固定され、軸受１４の外輪はケーシング３２に固定されている。
【００２１】
回転駆動源としてのエンジンの回転トルクは、回転軸２の軸方向一方側の端部（一端）近傍に固定されたギヤ１６を介して回転軸２に伝達される。玉軸受からなる軸受１４の内輪は、回転軸２に設けられた肩面２ｃと軸方向で係合しており、ギヤ１６は、回転軸２の外周に装着され、軸受１４と軸方向で係合した円筒状の中間部材１７と、回転軸２の一端外周に固定された抜け止め部材１８とで軸方向両側から挟持されることにより軸方向で位置決めされている。
【００２２】
ポンプボディ３は、回転軸２と一体回転可能に回転軸２の外周に固定される。本実施形態では、回転軸２の外周面２ａに形成したスプライン２ｂと、ポンプボディ３の内周面（小径内周面３ｃ）に形成したスプラインとを嵌合させるいわゆるスプライン嵌合により、回転軸２とポンプボディ３とが一体回転可能となっている。
【００２３】
ポンプボディ３は、その周方向に離間した複数箇所（本実施形態では９箇所。図３に示すピストン５の数を参照。）に形成された軸方向シリンダ３ａを有する。各軸方向シリンダ３ａの一端は、ポンプボディ３の一端面に開口し、各軸方向シリンダ３ａの他端は、各軸方向シリンダ３ａの延長線上に形成された軸方向の貫通孔３ｂを介してポンプボディ３の他端面に開口している。
【００２４】
各軸方向シリンダ３ａ内には、中空軸状のピストン５が往復動可能に配置されている。各ピストン５の一端には球状の頭部５ａが一体的に設けられており、この頭部５ａは、斜板６の斜面６ａと摺動可能に接したピストンシュー５ｂに対して揺動可能に嵌合している。
【００２５】
バルブプレート４は円盤状をなし、カバー３１とポンプボディ３との間に配置された状態で回転軸２の外周にすきまばめ（ＪＩＳ  Ｂ  ０４０１−１参照。以下同様。）されている。図２および図３に示すように、バルブプレート４には、その両端面に開口した円弧状の吸入ポート４ａおよび吐出ポート４ｂが設けられている。吸入ポート４ａは、カバー３１に設けられたオイル吸入孔３１ａとポンプボディ３に設けられた軸方向シリンダ３ａとを連通し、吐出ポート４ｂは、カバー３１に設けられたオイル吐出孔３１ｂと軸方向シリンダ３ａとを連通する。
【００２６】
回転軸２の外周面２ａとポンプボディ３の大径外周面３ｄとの間には、ポンプボディ３を軸方向他方側に付勢するため（ポンプボディ３の他端面をバルブプレート４の一端面に圧接するため）の圧縮コイルばね１５が配設されている。このような圧縮コイルばね１５が設けられていることにより、バルブプレート４は、ポンプボディ３に対して摺動可能にポンプボディ３とカバー３１とで挟持されている。
【００２７】
斜板６は、ポンプボディ３の軸方向一方側に配置され、回転軸２（筐体３０）に対して傾転（角度変位）可能に回転軸２の外周にすきまばめされている。図２および図３に示すように、斜板６の周方向に離間した二箇所には斜板支持部６ｅ，６ｅが設けられており、斜板６は、斜板支持部６ｅをケーシング３２に設けられた図示外の支持穴に嵌合することによって回転軸２に対して傾転可能にケーシング３２に支持されている。また、斜板６には、径方向外向きに延び、後述する付勢手段２０と軸方向変位部Ｂとの間に介在する延長部６ｃが一体的に設けられている。本実施形態では、斜板６にシュープレート６ｂを固定し、このシュープレート６ｂの他端面をピストンシュー５ｂが摺動可能に接した斜面６ａとしているが、シュープレート６ｂは省略される場合もある。
【００２８】
変角度機構Ａは、回転軸２に対する斜板６の傾転角（斜面６ａの傾斜角）を変化させるためのものであり、斜板６（の延長部６ｃ）の軸方向他方側に配置された案内部材１２および軸方向変位部Ｂと、斜板６の軸方向一方側に配置された付勢手段２０とを備える。
【００２９】
付勢手段２０は、斜板６の延長部６ｃを軸方向他方側に付勢するものであり、ケーシング３２に設けられた筒状の付勢手段収容部３２ａに収容・保持されている。
【００３０】
付勢手段２０は、付勢手段収容部３２ａの内周に配置された有底筒状の弾性体収容部材２２と、弾性体収容部材２２（付勢手段収容部３２ａ）の一端開口部を閉塞する有底筒状の蓋部材３３と、弾性体収容部材２２と蓋部材３３との間に軸方向に圧縮された状態で介在する弾性体としての圧縮コイルばね２１とを備える。弾性体収容部材２２の他端には、凸状部２２ａが設けられており、この凸状部２２ａが斜板６の延長部６ｃの一端面６ｅに当接している。弾性体収容部材２２は、ケーシング３２に対して軸方向にスライド移動可能に付勢手段収容部３２ａの内周に配置されており、付勢手段２０が斜板６に対して付与すべき付勢力は、例えば、ケーシング３２に対する蓋部材３３の軸方向の固定位置を調整することによって調整することができる。以上の構成を有する付勢手段２０により、斜板６は、回転軸２の回転数が所定値（例えば５０００ｒｐｍ）を超えるまでは、回転軸２に対する傾転角が初期角θ1に保持される。
【００３１】
変角度機構Ａを構成する案内部材１２および軸方向変位部Ｂは、筐体３０のカバー３１と斜板６との間に配置されている。軸方向変位部Ｂは、回転軸２と一体回転可能な（複数の）機械部品のアセンブリからなり、ここでは、案内部材１２とともにポンプボディ３の外周に嵌合され、筐体３０の内部に配置されている。
【００３２】
案内部材１２は、金属材料で椀状に形成され、ポンプボディ３の外周面に固定されている。ポンプボディ３に対する案内部材１２の固定方法としては、両者が軸方向に相対移動するのを規制し得る限りにおいて適宜選択することができ、例えば、圧入やキー嵌合を採用することができる。案内部材１２には、後述する保持器８のポケット部８ｃに保持された遠心ウェイト７の径方向移動および軸方向移動を案内するための断面略円弧状の案内面１２ａが周方向所定間隔で設けられている。
【００３３】
軸方向変位部Ｂは、周方向に離間した複数箇所（本実施形態では１２箇所。図３を参照。）に配置され、ポンプボディ３の外周面とケーシング３２の内周面との間に径方向および軸方向に変位可能に介在した遠心ウェイト７と、遠心ウェイト７を保持した保持器８とを備える。本実施形態では、遠心ウェイト７として、金属材料で円柱状に形成された円筒ころであって、回転軸２の回転数が所定値（例えば５０００ｒｐｍ）を超えたときに作用する遠心力により径方向外側（および軸方向一方側）に変位可能な質量を有する円筒ころを使用している。
【００３４】
図４（ａ）（ｂ）にも示すように、保持器８は、断面略Ｌ字状の円環部８ａと、周方向所定間隔で配置された複数の柱部８ｂとを一体に有するリング状をなし、周方向で隣り合う柱部８ｂ，８ｂ間に遠心ウェイト７を個別に保持するポケット部８ｃを画成している。このような保持器８が設けられていることにより、複数の遠心ウェイト７は周方向所定間隔で保持される。保持器８は、ポンプボディ３の外周面に沿ってスライド移動可能にポンプボディ３の外周面に嵌合されている。
【００３５】
本実施形態の軸方向変位部Ｂは、保持器８の軸方向一方側に隣接配置されたスラスト軸受としての針状ころ軸受９と、針状ころ軸受９の軸方向一方側に隣接配置されたリング状の変位伝達部材１０とをさらに備え、針状ころ軸受９は、保持器８（の円環部８ａ）と変位伝達部材１０とで軸方向両側から挟持されている。針状ころ軸受９および変位伝達部材１０は、軸方向にスライド移動可能にポンプボディ３の外周に嵌合されている。
【００３６】
図３にも示すように、変位伝達部材１０の外周部には、一端面が斜板６の延長部６ｃの他端面６ｄに近接配置される第１突起部１０ａと、この第１突起部１０ａとは周方向の位相を１８０°異ならせた位置に設けられた第２突起部１０ｂとが一体形成されている。第１突起部１０ａの一端面には凹部１０ａ１が設けられており、この凹部１０ａ１には、一端が斜板６の延長部６ｃの他端面６ｄに当接し、斜板６の延長部６ｃを軸方向一方側に加圧可能な加圧部材１１が取り付けられている。従って、斜板６の延長部６ｃは、加圧部材１１と付勢手段２０（の弾性体収容部材２２）とで軸方向両側から挟持されている。
【００３７】
図１に示すように、第２突起部１０ｂの一端面には凹部１０ｂ１が形成されており、この凹部１０ｂ１には、軸方向変位部Ｂの振れ（詳細には、回転軸２の回転駆動時における軸方向変位部Ｂの軸方向の微小振動）を規制するための制振手段２３の他端が固定される。
【００３８】
制振手段２３は、ケーシング３２に設けられた筒状の制振手段収容部３２ｂに収容・保持されている。この制振手段２３は、制振手段収容部３２ｂの内周に配置された段付き円筒状の弾性体収容部材２４と、弾性体収容部材２４の一端開口を閉塞した蓋部材３４と、弾性体収容部材２４と蓋部材３４との間に軸方向に圧縮された状態で介在する弾性体としての圧縮コイルばね２５とからなり、弾性体収容部材２４の他端が変位伝達部材１０の第２突起部１０ｂに設けられた凹部１０ｂ１に嵌合固定されている。弾性体収容部材２４は、ケーシング３２に対して軸方向にスライド移動可能に制振手段収容部３２ｂの内周に配置されている。上記態様で制振手段２３が設けられていることにより、変位伝達部材１０は、回転軸２に対して回り止めされている。
【００３９】
以上の構成を有する本実施形態のオイルポンプ１の動作態様を以下説明する。
【００４０】
まず、図示外の回転駆動源の動力を受けて回転軸２が回転駆動されると、回転軸２の外周に嵌合されたポンプボディ３が回転軸２と一体回転する。回転軸２の回転数が所定値（５０００ｒｐｍ）未満の状態では、ポンプボディ３の外周に配置された遠心ウェイト７に作用する遠心力が小さいために遠心ウェイト７は径方向外側（および軸方向一方側）に変位せず、図１に示すように、遠心ウェイト７とポンプボディ３の外周面との接触状態が維持される。そのため、回転軸２に対する斜板６の傾転角は図１に示す初期角θ1から変化せず、ポンプボディ３の軸方向シリンダ３ａ内に配置されたピストン５の軸方向のストローク量も変化しない。従って、回転軸２およびポンプボディ３が一回転する間のポンプ流量（カバー３１の吸入孔３１ａおよびバルブプレート４の吸入ポート４ａを介してオイルポンプ１内に吸入されるオイルの量、並びにバルブプレート４の吐出ポート４ｂおよびカバー３１の吐出孔３１ｂを介してオイルポンプ１外に吐出されるオイルの量）も変化しない。
【００４１】
但し、回転軸２の回転数が上昇するほど、単位時間当たりに実行されるオイルの吸入および吐出回数が増加するため、単位時間当たりのポンプ流量は増加する。このため、オイルポンプ１のポンプ流量は、回転軸２の回転数が所定値に到達するまで連続的に増加する。
【００４２】
一方、回転軸２の回転数が所定値を超え、ポンプボディ３の径方向外側を公転している各遠心ウェイト７を径方向外側に変位させ得る遠心力が各遠心ウェイト７に作用すると、各遠心ウェイト７は、案内部材１２の案内面１２ａに案内されるようにして径方向外側および軸方向一方側に変位し、保持器８の環状部８ａが軸方向一方側に加圧される。これに伴い、ポンプボディ３の外周に軸方向にスライド移動可能に嵌合された軸方向変位部Ｂ（保持器８、針状ころ軸受９、変位伝達部材１０および加圧部材１１）が軸方向一方側に連続してスライド移動し、軸方向変位部Ｂのスライド移動量（軸方向一方側への変位量）に応じた加圧力が斜板６の延長部６ｃに付与される。これにより、斜板６は、回転軸２に対する傾転角が大きくなる方向に徐々に角度変位し、斜板６は最大傾転角θ2をとる（図５参照）。
【００４３】
ここで、軸方向変位部Ｂの軸方向一方側への変位量（詳細には、軸方向変位部Ｂの原点位置から軸方向一方側への変位可能量。本実施形態では、遠心ウェイト７がポンプボディ３の外周面に接した状態が軸方向変位部Ｂの原点位置となる。）、すなわち斜板６の角度変位量は、斜板６の最大傾転角θ2が９０°を超えないように調整される。軸方向変位部Ｂの軸方向一方側への変位量は、遠心ウェイト７の質量や、付勢手段２０の付勢力によって調整することができる。
【００４４】
上記のように、回転軸２に対する斜板６の傾転角が大きくなるのに伴い、ピストン５の軸方向のストローク量が小さくなるため、回転軸２が一回転する間のポンプ流量が減少する。このため、図５に示すように、斜板６が最大傾転角θ2をとると、回転軸２が一回転する間のポンプ流量は最小となる。
【００４５】
以上で説明したように、本発明に係るオイルポンプ１では、回転軸２の回転駆動時におけるピストン５の軸方向のストローク量、すなわちポンプ流量を左右する斜板６の傾転角が、回転軸２と一体回転可能にポンプボディ３の外周に嵌合した機械部品のアセンブリからなる軸方向変位部Ｂによって変化するため、斜板６の傾転角を制御するための油圧回路や電気回路などの制御回路（制御系）を省略することができる。これにより、特許文献１のオイルポンプの制御部と同様の機能を有しながら、簡素かつコンパクトな変角度機構Ａ（機械式の変角度機構Ａ）を実現することができる。
【００４６】
特に、本実施形態では、回転軸２の回転数が所定値を超えたときにポンプボディ３の外周に配置した複数の遠心ウェイト７に作用する遠心力によって軸方向変位部Ｂが軸方向一方側に変位するので、変角度機構Ａを大幅に簡素化することができる。また、軸方向変位部Ｂには、周方向に複数配置された遠心ウェイト７を周方向所定間隔で保持する保持器８が設けられ、遠心ウェイト７の軸方向一方側への変位量が保持器８を介して斜板６に伝達されるので、斜板６に対する変位量の伝達性が向上し、斜板６の傾転角を精度良く制御することができる。
【００４７】
また、本発明に係るオイルポンプ１では、ポンプ流量を左右する斜板６の傾転角が軸方向変位部Ｂの軸方向変位に伴って変化するため、軸方向変位部Ｂの挙動（特に、回転軸２の回転数が所定値を超え、軸方向変位部Ｂが軸方向一方側に変位する際の軸方向変位部Ｂの挙動）を安定させることが、所望のポンプ能力を安定的に発揮可能とする上で重要となる。この点につき、本実施形態では、オイルポンプ１の静止側を構成する筐体３０に、軸方向変位部Ｂの振れを規制する制振手段２３を設け、この制振手段２３の端部を軸方向変位部Ｂに固定したので、軸方向変位部Ｂの挙動、ひいては斜板６の姿勢が不安定化するのを可及的に防止することが可能となる。従って、ポンプ流量を精度良く制御することができる。
【００４８】
本発明に係るオイルポンプ１では、前述のとおり、油圧回路や電気回路を省略した機械式の変角度機構Ａを採用したことに加え、制振手段収容部３２ｂ内で軸方向に伸縮変形可能な弾性体としての圧縮コイルばね２５を備えた機械式の制振手段２３を採用したことにより、簡素かつコンパクトでありながら、ポンプ流量を精度良く制御し得る機械式のオイルポンプ１を実現することができる。なお、制振手段２３は、回転軸２の回転駆動時（特に軸方向変位部Ｂの軸方向変位時）に、軸方向変位部Ｂが振れるのを可及的に防止する機能を発揮することができれば足りるので、制振手段２３を構成する圧縮コイルばね２５としては、図示例のように、付勢手段２０を構成する圧縮コイルばね２１よりも小型のもの（ばね定数が小さいもの）を使用すれば足りる。
【００４９】
以上より、本発明によれば、軽量・コンパクトで汎用性に富み、しかもオイルの流量制御を精度良く行い得る可変容量オイルポンプ１（機械式の可変容量オイルポンプ１）を低コストに提供することができる。
【００５０】
本発明に係る可変容量オイルポンプ１は、以上で説明したような利点を有することから、例えば、自動車の無断変速機（ＣＶＴ）を構成するプーリの溝幅調整用オイルポンプとして好ましく適用することができる。自動車の燃費改善を図るためにも、自動車に組み込まれるオイルポンプとしては、できるだけ軽量・コンパクトであることが好ましいからである。
【００５１】
以上、本発明の一実施形態に係る可変容量オイルポンプ１について説明を行ったが、本発明の実施の形態はこれに限られない。
【００５２】
例えば、以上で説明した実施形態では、回転軸２を回転駆動させるための回転駆動源として自動車のエンジンを例示したが、回転駆動源としては、自動車のエンジンに替えて電動モータを採用することも可能である。図６は、電動モータ４１と、電動モータ４１の出力側に連結された減速機４２とを備えた回転駆動源４０のうち、減速機４２の出力側に回転軸２をトルク伝達可能に連結した可変容量オイルポンプ１の一例である。減速機４２としては、例えば、コンパクトで減速比の変更も容易に行い得る遊星歯車減速機や遊星ローラ減速機を好ましく採用することができる。この実施形態のオイルポンプ１は、図１等に示すオイルポンプ１で採用した回転軸２とは異なる形状を有する回転軸２を採用している以外は、図１等に示すオイルポンプ１と実質的に同様の構成を有し、同様の作用効果を奏し得る。
【００５３】
本発明は前述した実施形態に何ら限定されるものではなく、本発明の要旨を逸脱しない範囲内において、さらに種々なる形態で実施し得ることは勿論のことであり、本発明の範囲は、特許請求の範囲によって示され、さらに特許請求の範囲に記載の均等の意味、および範囲内のすべての変更を含む。
【符号の説明】
【００５４】
１        可変容量オイルポンプ
２        回転軸
３        ポンプボディ
３ａ      軸方向シリンダ
４        バルブプレート
５        ピストン
５ａ      頭部
５ｂ      ピストンシュー
６        斜板
７        遠心ウェイト
８        保持器
８ａ      環状部
８ｃ      ポケット
９        針状ころ軸受
１０      変位伝達部材
１２      案内部材
１２ａ    案内面
２０      付勢手段
２３      制振手段
３０      筐体
３１      カバー
３２      ケーシング
Ａ        変角度機構
Ｂ        軸方向変位部
θ1      初期角
θ2      最大傾転角
【図１】
2018193974.tif 000003
【図２】
2018193974.tif 000004
【図３】
2018193974.tif 000005
【図４】
2018193974.tif 000006
【図５】
2018193974.tif 000007
【図６】
2018193974.tif 000008